(57)【要約】【課題】中継装置を識別する識別情報と、中継装置と接続に用いる接続情報と、の双方をユーザが設定する場合に比べて、無線ネットワークに接続するための設定を簡易化することができる無線通信装置、無線通信システム、及び無線通信設定プログラムを提供する。【解決手段】画像形成装置１２は、無線通信のアクセスポイントを識別するＳＳＩＤと、アクセスポイントとの接続実績を示す実績フラグとを対応付けて記憶する記憶部３０と、記憶部３０に記憶された実績フラグが接続実績が無いことを示す「０」である場合、接続実績が無いアクセスポイントとの接続に用いるパスワードを入力させるためのパスワード入力画面６０を表示部３６に表示させる制御を行う制御部２０と、を備える。【選択図】図３
2018006973.tif 000002
【特許請求の範囲】
【請求項１】
無線通信の中継装置を識別する識別情報と、前記中継装置との接続実績を示す接続実績情報とを対応付けて記憶する記憶部と、
前記記憶部に記憶された前記接続実績情報が前記接続実績が無いことを示す場合、前記接続実績が無い中継装置との接続に用いる接続情報を入力させるための情報を表示部に表示させる制御を行う制御部と、
を備えた無線通信装置。
【請求項２】
前記制御部は、前記表示部に表示された情報に応じて前記接続情報が入力された場合、入力された前記接続情報と前記接続実績が無い中継装置を識別する識別情報とを用いて前記中継装置との接続を試行し、接続が成功した場合、前記接続実績が無い中継装置を識別する識別情報に対応付けられた前記接続実績情報を前記接続実績が有ることを示す情報に更新する制御をさらに行う、
請求項１に記載の無線通信装置。
【請求項３】
前記制御部は、前記表示部に表示された情報に応じて前記接続情報が入力された場合、入力された前記接続情報と前記接続実績が無い中継装置を識別する識別情報とを用いて前記接続実績が無い中継装置との接続を試行し、当該接続を失敗した回数が予め定められた回数を超えた場合、前記接続実績が無い中継装置を識別する識別情報に対応付けられた前記接続実績情報を前記接続実績が有ることを示す情報に更新する制御をさらに行う、
請求項１または請求項２に記載の無線通信装置。
【請求項４】
前記制御部は、前記接続実績が無い中継装置との接続を失敗した回数が予め定められた回数を超えたことにより、前記接続実績が無い中継装置を識別する識別情報に対応付けられた前記接続実績情報が前記接続実績が有ることを示す情報に更新された場合、前記接続実績が無い中継装置との接続に失敗したことを表す情報を前記表示部に表示させる制御をさらに行う、
請求項３に記載の無線通信装置。
【請求項５】
前記記憶部に記憶されている前記識別情報に対して前記接続情報が予め設定されている場合、前記制御部は、予め設定されている接続情報に対する前記識別情報と、予め設定されている前記接続情報とに基づいて無線通信により前記識別情報により識別される前記中継装置と接続し、予め設定されている前記接続情報を入力させるための情報は非表示とする制御を行う、
請求項１から請求項４のいずれか１項に記載の無線通信装置。
【請求項６】
前記識別情報は、ＳＳＩＤである、
請求項１から請求項５のいずれか１項に記載の無線通信装置。
【請求項７】
無線通信の中継装置と、
前記中継装置を介して無線通信を行う請求項１から請求項６のいずれか１項に記載の無線通信装置と、
を備えた無線通信システム。
【請求項８】
コンピュータを、
無線通信の中継装置を識別する識別情報と、前記中継装置との接続実績を示す接続実績情報とを対応付けて記憶する記憶部に記憶された前記接続実績情報が前記接続実績が無いことを示す場合、前記接続実績が無い中継装置との接続に用いる接続情報を入力させるための情報を表示部に表示させる制御を行う制御部として機能させるための
無線通信設定プログラム。
【発明の詳細な説明】
【技術分野】
【０００１】
本発明は、無線通信装置、無線通信システム、及び無線通信設定プログラムに関する。
【背景技術】
【０００２】
特許文献１には、中継局を介して複数の通信機器が通信する無線ネットワークに接続されるステーションであって、無線ネットワークにおける通信対象をグループ化するために必須の中継識別情報を予め記憶する中継記憶部と、前記中継局として機能することにより、前記中継記憶部に記憶された中継識別情報に基づく無線ネットワークを確立する中継機能部と、前記ステーションとして前記中継局と接続する際に用いられるべき端末識別情報を、前記中継機能部によって確立された無線ネットワークを介して受信し、記憶する端末記憶部と、外部に用意された所定の中継局によって提供され前記端末識別情報に対応した無線ネットワークとの接続を確立するとともに、該接続中は前記中継機能部の機能を停止する端末機能部とを備えるステーションが記載されている。
【０００３】
特許文献２には、 通信端末間の無線通信を中継する中継装置であって、前記無線通信を確立するために前記通信端末と統一して設定される接続情報を記憶する接続情報記憶部と、新たに中継対象とすべき新規通信端末との間で、前記接続情報に関わらず所定の条件下で一時的な無線通信を確立することで、該新規通信端末と仮接続を行う仮接続部と、前記接続情報を変更させるための指示情報を、前記新規通信端末に対し、前記仮接続を通じて送信する設定指示部とを備える中継装置が記載されている。
【０００４】
特許文献３には、特定の通信方式に基づいて通信を実行している通信端末とＵＳＢ（Universal Serial Bus）を介して接続する接続手段と、前記通信端末が前記特定の通信方式に基づいて通信を行うために必要な情報であって前記通信端末に設定された接続情報を、前記接続手段によって接続された前記通信端末からＵＳＢを介して取得する取得手段と、前記取得手段において取得された前記接続情報を使用し、前記特定の通信方式に基づいて前記通信端末と通信を行うことによって、前記通信端末から送信される指示を受け付ける受付手段と、前記受付手段によって前記指示を受け付けた場合に、前記指示に応じた制御を行う制御手段とを備えたことを特徴とする制御装置が記載されている。
【先行技術文献】
【特許文献】
【０００５】
【特許文献１】特開２００３−１４３１５６号公報
【特許文献２】特開２００５−１９８１５４号公報
【特許文献３】特開２０１２−２０９７８６号公報
【発明の概要】
【発明が解決しようとする課題】
【０００６】
本発明は、中継装置を識別する識別情報と、中継装置との接続に用いる接続情報と、の双方をユーザが設定する場合に比べて、無線ネットワークに接続するための設定を簡易化することができる無線通信装置、無線通信システム、及び無線通信設定プログラムを提供することを目的とする。
【課題を解決するための手段】
【０００７】
上記目的を達成するために、請求項１に記載の無線通信装置は、無線通信の中継装置を識別する識別情報と、前記中継装置との接続実績を示す接続実績情報とを対応付けて記憶する記憶部と、前記記憶部に記憶された前記接続実績情報が前記接続実績が無いことを示す場合、前記接続実績が無い中継装置との接続に用いる接続情報を入力させるための情報を表示部に表示させる制御を行う制御部と、を備える。
【０００８】
また、請求項２に記載の無線通信装置は、請求項１に記載の無線通信装置において、前記制御部は、前記表示部に表示された情報に応じて前記接続情報が入力された場合、入力された前記接続情報と前記接続実績が無い中継装置を識別する識別情報とを用いて前記中継装置との接続を試行し、接続が成功した場合、前記接続実績が無い中継装置を識別する識別情報に対応付けられた前記接続実績情報を前記接続実績が有ることを示す情報に更新する制御をさらに行う。
【０００９】
また、請求項３に記載の無線通信装置は、請求項１または請求項２に記載の無線通信装置において、前記制御部は、前記表示部に表示された情報に応じて前記接続情報が入力された場合、入力された前記接続情報と前記接続実績が無い中継装置を識別する識別情報とを用いて前記接続実績が無い中継装置との接続を試行し、当該接続を失敗した回数が予め定められた回数を超えた場合、前記接続実績が無い中継装置を識別する識別情報に対応付けられた前記接続実績情報を前記接続実績が有ることを示す情報に更新する制御をさらに行う。
【００１０】
また、請求項４に記載の無線通信装置は、請求項３に記載の無線通信装置において、前記制御部は、前記接続実績が無い中継装置との接続を失敗した回数が予め定められた回数を超えたことにより、前記接続実績が無い中継装置を識別する識別情報に対応付けられた前記接続実績情報が前記接続実績が有ることを示す情報に更新された場合、前記接続実績が無い中継装置との接続に失敗したことを表す情報を前記表示部に表示させる制御をさらに行う。
【００１１】
また、請求項５に記載の無線通信装置は、請求項１から請求項４のいずれか１項に記載の無線通信装置において、前記記憶部に記憶されている前記識別情報に対して前記接続情報が予め設定されている場合、前記制御部は、予め設定されている接続情報に対する前記識別情報と、予め設定されている前記接続情報とに基づいて無線通信により前記識別情報により識別される前記中継装置と接続し、予め設定されている前記接続情報を入力させるための情報は非表示とする制御を行う。
【００１２】
また、請求項６に記載の無線通信装置は、請求項１から請求項５のいずれか１項に記載の無線通信装置において、前記識別情報を、ＳＳＩＤ（Service Set Identifier）とする。
【００１３】
一方、上記目的を達成するために、請求項７に記載の無線通信システムは、無線通信の中継装置と、前記中継装置を介して無線通信を行う請求項１から請求項６のいずれか１項に記載の無線通信装置と、を備える。
【００１４】
一方、上記目的を達成するために、請求項８に記載の無線通信設定プログラムは、コンピュータを、無線通信の中継装置を識別する識別情報と、前記中継装置との接続実績を示す接続実績情報とを対応付けて記憶する記憶部に記憶された前記接続実績情報が前記接続実績が無いことを示す場合、前記接続実績が無い中継装置との接続に用いる接続情報を入力させるための情報を表示部に表示させる制御を行う制御部として機能させるためのものである。
【発明の効果】
【００１５】
請求項１、請求項７、及び請求項８に記載の発明によれば、中継装置を識別する識別情報と、中継装置との接続に用いる接続情報と、の双方をユーザが設定する場合に比べて、無線ネットワークに接続するための設定を簡易化することができる。
【００１６】
請求項２に記載の発明によれば、接続実績情報により、中継装置との接続に成功したか否かを確認することができる。
【００１７】
請求項３に記載の発明によれば、中継装置の接続に失敗した回数に応じて実績情報を接続実績が有ることを示す情報に更新しない場合に比べて、セキュリティを向上させることができる。
【００１８】
請求項４に記載の発明によれば、中継装置との接続に失敗したことをユーザに認識させることができる。
【００１９】
請求項５に記載の発明によれば、接続情報をユーザに入力させる手間を省くことができる。
【００２０】
請求項６に記載の発明によれば、ＳＳＩＤにより識別される中継装置による無線ネットワークに接続するための設定を簡易化することができる。
【図面の簡単な説明】
【００２１】
【図１】本実施形態の画像形成装置が接続されるネットワーク環境の構成を示す概略構成図である。
【図２Ａ】本実施形態の入力画面の一例を示す概略図である。
【図２Ｂ】本実施形態の入力画面の一例を示す概略図である。
【図２Ｃ】本実施形態の入力画面の一例を示す概略図である。
【図３】本実施形態の画像形成装置の構成を示すブロック図である。
【図４】本実施形態の接続実績管理テーブルの一例を示す模式図である。
【図５】本実施形態の画像形成装置の制御部で実行される無線通信設定処理の流れを示すフローチャートである。
【図６】本実施形態の画像形成装置の表示部に表示されるパスワード入力画面の一例を示す模式図である。
【図７】本実施形態の画像形成装置の表示部に表示されるエラー画面の一例を示す模式図である。
【図８】図５に示す無線通信設定処理において実行されるＳＳＩＤ登録処理の流れを示すフローチャートである。
【図９】本実施形態の画像形成装置の表示部に表示されるパスワード入力画面の他の例を示す模式図である。
【発明を実施するための形態】
【００２２】
以下、図面を参照して本発明の実施形態の一例を詳細に説明する。
【００２３】
本実施形態では、画像形成装置（プリンタ）をユーザが購入し、無線通信網によるネットワーク（以下、「無線ネットワーク」という）に接続して無線通信システムを構成する場合について説明する。具体的には、一例として図１に示すように、画像形成装置１２を購入するユーザのユーザ端末装置１０が、アクセスポイント１４により構成される無線ネットワーク１５に接続されており、当該無線ネットワーク１５に、画像形成装置１２をユーザが接続して無線通信システム１を構成する場合について説明する。
【００２４】
ユーザ端末装置１０は、例えば、スマートフォンやタブレット型端末装置等に代表される、携帯して持ち歩くことが可能な電子機器であるモバイル端末や、パーソナルコンピュータ等である。図１に示すように、ユーザ端末装置１０は、アクセスポイント１４を介してネットワーク１７に接続される。なお、アクセスポイント１４が本発明の中継装置の一例である。
【００２５】
本実施形態では、ユーザによる画像形成装置１２の購入方法の一例として、画像形成装置１２の販売業者がネットワーク１７に接続された業者端末装置１６を介して提供する購入サイトにユーザがユーザ端末装置１０でアクセスし、当該購入サイトを利用して、画像形成装置１２を購入する場合について説明する。
【００２６】
本実施形態では、ユーザは、まず、画像形成装置１２を購入する前に画像形成装置１２にアクセスポイント１４のＳＳＩＤを登録するために、画像形成装置１２を購入する際に、販売業者の業者端末装置１６に対してＳＳＩＤを通知する。なお、ユーザがアクセスポイント１４のＳＳＩＤを取得する方法は特に限定されない。例えば、アクセスポイント１４の装置本体に記載されているＳＳＩＤをユーザが目視により確認することにより取得してもよい。
【００２７】
また例えば、ＡｃｔｉｖｅＸ（登録商標）を実行することにより自動的にアクセスポイント１４のＳＳＩＤを取得してもよいし、販売業者の購入サイトから専用のソフトウェアをダウンロードして実行することにより自動的にアクセスポイント１４のＳＳＩＤを取得してもよい。具体例としては、専用のソフトウェアをダウンロードすると、一例として図２Ａに示すように、ユーザ端末装置１０の表示部１１に、ＳＳＩＤの取得をユーザに促す入力画面５０の表示がなされる。図２Ａに示した入力画面５０に含まれる取得ボタン５１をユーザが指定すると、自動的にアクセスポイント１４のＳＳＩＤが取得される。そして、一例として図２Ｂに示すように、ユーザ端末装置１０により取得されたＳＳＩＤ（図２Ｂに示す例では、「ＸＸＸＸＸ」）を含む入力画面５０の表示（更新）がユーザ端末装置１０の表示部１１になされる。
【００２８】
なお、アクセスポイント１４との接続に用いるパスワードもＳＳＩＤと同様に販売業者に通知することにより、画像形成装置１２にパスワードを事前に登録する形態としてもよい。この場合、例えば、図２Ｂに示した入力画面５０に含まれる取得ボタン５２をユーザが指定すると、ＳＳＩＤと同様に、自動的にアクセスポイント１４のパスワードが取得され、一例として図２Ｃに示すように、取得されたパスワード（図２Ｃに示す例では、「＊＊＊＊＊」）が入力画面５０に表示される形態等としてもよい。
【００２９】
なお、セキュリティの観点から、画像形成装置１２に対するパスワードの登録は、販売業者が登録を行うのではなく、購入後、より具体的には、ユーザの元に画像形成装置１２が届いてからユーザが行うことが好ましい。画像形成装置１２にＳＳＩＤのみを事前に登録する場合、ユーザは、一例として図２Ｂに示した入力画面５０に含まれるＯＫボタン５３を指定することにより、ＳＳＩＤのみを業者端末装置１６に通知する。一方、ＳＳＩＤ及びパスワードの双方を事前に登録する場合、ユーザは、一例として図２Ｃに示した入力画面５０に含まれるＯＫボタン５３を指定することにより、ＳＳＩＤ及びパスワードを業者端末装置１６に通知する。
【００３０】
なお、アクセスポイント１４（無線ネットワーク１５）以外にも画像形成装置１２が接続される可能性があるアクセスポイント（無線ネットワーク）がある場合は、各々のＳＳＩＤやパスワードを通知して、事前に画像形成装置１２に登録しておいてもよい。
【００３１】
販売業者は、以上のようにユーザが通知したＳＳＩＤ、及びパスワードも通知した場合のパスワードを画像形成装置１２に、画像形成装置１２をユーザに配送する前に登録しておく。販売業者が画像形成装置１２にＳＳＩＤやパスワードを登録する方法は特に限定されないが、本実施形態では、画像形成装置１２の後述する記憶部３０（図３、図４参照）に記憶されている接続実績管理テーブル３１に登録しておく。
【００３２】
次に、図３を参照して、本実施形態に係る画像形成装置１２の構成を説明する。本実施形態の画像形成装置１２は、一例として、スキャナ機能を有するプリンタである。
【００３３】
本実施形態の画像形成装置１２は、制御部２０、記憶部３０、ＵＩ（User Interface）部３２、通信Ｉ／Ｆ（InterFace）３８、画像読取部４０、及び画像形成部４２を備えている。制御部２０、記憶部３０、ＵＩ部３２、通信Ｉ／Ｆ３８、画像読取部４０、及び画像形成部４２は、システムバスやコントロールバス等のバス４３を介して相互に各種情報の授受が可能に接続されている。
【００３４】
制御部２０は、ＣＰＵ（Central Processing Unit）２２、ＲＯＭ（Read Only Memory）２４、及びＲＡＭ（Random Access Memory）２６を備えている。ＣＰＵ２２は、画像形成装置１２の全体的な動作を制御する。ＲＯＭ２４には、ＣＰＵ２２で実行される無線通信設定プログラム２５を含む各種プログラムや各種パラメータ等が予め記憶されている。ＲＡＭ２６は、ＣＰＵ２２による各種プログラムの実行時のワークエリア等として用いられる。
【００３５】
記憶部３０には、ユーザから通知されたＳＳＩＤを含む接続実績管理テーブル３１が格納される。接続実績管理テーブル３１は、ＳＳＩＤに対応する無線ネットワークへの接続実績の有無及びパスワードを管理するためのテーブルであり、一例として図４に模式的に示すように、ＳＳＩＤに、対応する無線ネットワークへの接続実績の有無を表す実績フラグと、対応するパスワードと、が対応付けられて登録される。なお、本実施形態の実績フラグが、本発明の接続実績情報の一例である。
【００３６】
図４に示した例では、「ＡＡＡ」、「ＢＢＢ」、及び「ＣＣＣ」の３種類のＳＳＩＤが登録されている場合を示している。また、本実施形態の実績フラグは、接続実績が無い場合は「０」の値をとり、接続実績が有る場合は「１」の値をとる。図４に示した例では、ＳＳＩＤが「ＡＡＡ」である無線ネットワークに対応付けられている実績フラグは「１」とされているが、ユーザが画像形成装置１２の購入後、初めて電源を投入した時点では、全てのＳＳＩＤに対応する実績フラグは「０」とされている。
【００３７】
なお、本実施形態では、ＳＳＩＤと無線ネットワークの名称等との対応関係の管理は、接続実績管理テーブル３１を用いずに行うようにしているが、接続実績管理テーブル３１に無線ネットワークの名称等を登録することにより、接続実績管理テーブル３１を用いて管理を行うようにしてもよい。
【００３８】
記憶部３０の具体例としては、ＨＤＤ（Hard Disk Drive）やＳＳＤ（Solid State Drive）等が挙げられる。
【００３９】
ＵＩ部３２は、操作部３４及び表示部３６を含む。操作部３４は、画像形成に関する指示や各種情報等をユーザが入力するために用いられる。表示部３６は、各種情報を表示する。なお、ＵＩ部３２は、操作部３４と表示部３６とを一体化したタッチパネルディスプレイを用いて構成してもよい。ＵＩ部３２は、操作部３４に対する操作状態を検出し、また、表示部３６への各種情報の表示を制御する。
【００４０】
通信Ｉ／Ｆ３８は、無線通信の機能を有し、アクセスポイント１４を介してユーザ端末装置１０との間で各種情報の通信を行う。なお、通信Ｉ／Ｆ３８は、有線通信の機能を有していてもよい。
【００４１】
画像読取部４０は、紙等の媒体上に形成された画像を読み取り、当該画像を表す画像データを生成する、いわゆるスキャナの機能を有する。画像形成部４２は、画像読取部４０が生成した画像データや、ユーザ端末装置１０から受け付けた画像データ等に基づいて、紙等の媒体上に画像を形成する機能を有する。
【００４２】
次に、本実施形態の画像形成装置１２の作用について説明する。画像形成装置１２は、販売業者から納入されてユーザにより初めて電源が投入された際に、制御部２０のＣＰＵ２２がＲＯＭ２４に記憶されている無線通信設定プログラム２５を実行することにより、図５に示した無線通信設定処理を実行する。
【００４３】
図５のステップＳ１００で制御部２０は、記憶部３０の接続実績管理テーブル３１にＳＳＩＤが登録済みで有るか否かを判定する。上記では、ユーザの元に画像形成装置１２が届く前にＳＳＩＤが登録されている場合について説明したが、ユーザが初めて画像形成装置１２の電源を投入するまでに、ＳＳＩＤが登録されていない場合もあり得る。例えば、ユーザが販売業者によるＳＳＩＤの登録を望まない場合や、上述した形態と異なり、家電量販店等の店頭でユーザが直接、画像形成装置１２を購入して持ち帰る形態の場合等は、販売業者によるＳＳＩＤの登録がなされないことがある。
【００４４】
接続実績管理テーブル３１にＳＳＩＤが登録されていない場合、ステップＳ１００において否定判定となりステップＳ１０８へ進み、詳細を後述するＳＳＩＤ登録処理を実施した後、本無線通信設定処理を終了する。一方、ＳＳＩＤが登録されている場合、ステップＳ１００において肯定判定となりステップＳ１０２へ移行する。
【００４５】
ステップＳ１０２で制御部２０は、登録されているＳＳＩＤにより接続可能な無線ネットワークを探索する。なお、接続実績管理テーブル３１に複数のＳＳＩＤが登録されている場合、その中から１つのＳＳＩＤを選択し、選択したＳＳＩＤにより接続可能な無線ネットワークを探索する。
【００４６】
次のステップＳ１０４で制御部２０は、接続可能な無線ネットワークが有ったか否かを判定する。接続可能な無線ネットワークが無い場合、否定判定となり、ステップＳ１０６へ移行する。ステップＳ１０６で制御部２０は、接続実績管理テーブル３１に他のＳＳＩＤが登録されているか否かを判定する。他のＳＳＩＤ、具体的には、未だ接続可能な無線ネットワークの探索を行っていないＳＳＩＤが登録されている場合、肯定判定となりステップＳ１０２に戻る。一方、他のＳＳＩＤが登録されていない場合、否定判定となり、ステップＳ１０８へ進み、詳細を後述するＳＳＩＤ登録処理を実施した後、本無線通信設定処理を終了する。
【００４７】
一方、ステップＳ１０４において接続可能な無線ネットワークが有った場合、肯定判定となりステップＳ１１０へ移行する。なお、以下では、ここで接続可能であると判定した無線ネットワークが無線ネットワーク１５である場合について説明する。
【００４８】
ステップＳ１１０で制御部２０は、接続実績管理テーブル３１に無線ネットワーク１５のＳＳＩＤに対応するパスワードが登録済みで有るか否かを判定する。当該パスワードが登録されていない場合、否定判定となり後述するステップＳ１１４へ移行する。一方、パスワードが登録されている場合、肯定判定となりステップＳ１１２へ移行する。
【００４９】
ステップＳ１１２で制御部２０は、接続実績管理テーブル３１から上記ＳＳＩＤに対応して登録されているパスワードを取得する。
【００５０】
次のステップＳ１１４で制御部２０は、無線ネットワーク１５（アクセスポイント１４）への接続を試行する。なお、ここでは、ステップＳ１１２の処理によるパスワードの取得がなされていない場合はパスワードを用いずに接続を試行し、パスワードの取得がなされた場合は、取得したパスワードを用いて接続を試行する。
【００５１】
次のステップＳ１１６で制御部２０は、無線ネットワーク１５への接続が成功したか否かを判定する。接続が成功した場合、肯定判定となりステップＳ１１８へ移行する。ステップＳ１１８で制御部２０は、接続実績管理テーブル３１の無線ネットワーク１５のＳＳＩＤに対応する実績フラグを「１」にした後、本無線通信設定処理を終了する。例えば、図４に示した接続実績管理テーブル３１では、ＳＳＩＤが「ＡＡＡ」である無線ネットワークに対応する実績フラグを「１」にした場合を表している。このように、本実施形態では、無線ネットワークの接続に成功した場合、接続実績管理テーブル３１に登録された当該無線ネットワークのＳＳＩＤに対応する実績フラグが「１」となると共に、対応するパスワードが登録された状態となる。
【００５２】
一方、無線ネットワーク１５への接続に失敗した場合、ステップＳ１１６で否定判定となりステップＳ１２０へ移行する。ステップＳ１２０で制御部２０は、接続実績管理テーブル３１の接続を試行したＳＳＩＤに対応する実績フラグを確認し、次のステップＳ１２２で制御部２０は、確認した実績フラグが「１」で有るか否かを判定する。実績フラグが「１」ではない、即ち「０」の場合、否定判定となりステップＳ１２４へ移行する。
【００５３】
ステップＳ１２４で制御部２０は、ユーザに無線ネットワーク１５のパスワードの入力を促すための表示画面として、一例として、図６に例示したパスワード入力画面６０を表示部３６に表示させる制御を行う。パスワード入力画面６０の表示に応じて、ユーザは、操作部３４により、パスワードを入力し、ＯＫボタン６３を指定する。そこで、次のステップＳ１２６で制御部２０は、ユーザが入力したパスワードを取得する。
【００５４】
次のステップＳ１２８で制御部２０は、接続を試みた回数（以下、「アクセス回数」という）に「１」を加える。なお、ここでは、本無線通信設定処理の実行開始時にアクセス回数が０に初期設定されているものとする。
【００５５】
次のステップＳ１３０で制御部２０は、取得したパスワードを用いて無線ネットワーク１５への接続を試行する。
【００５６】
次のステップＳ１３２で制御部２０は、無線ネットワーク１５への接続が成功したか否かを判定する。接続が成功した場合、肯定判定となりステップＳ１３４へ移行する。ステップＳ１３４で制御部２０は、接続実績管理テーブル３１の無線ネットワーク１５のＳＳＩＤに対応する実績フラグを「１」にする。そして次のステップＳ１３６で、取得したパスワードを当該ＳＳＩＤに対応付けて接続実績管理テーブル３１に登録した後、本無線通信設定処理を終了する。
【００５７】
一方、無線ネットワーク１５への接続が失敗した場合、ステップＳ１３２で否定判定となりステップＳ１３８へ移行する。ステップＳ１３８で制御部２０は、無線ネットワーク１５へのアクセス回数が予め定められた上限値を超えたか否かを判定する。ユーザが入力したパスワードを用いた無線ネットワークの接続を失敗した場合、当該パスワードが誤っていることが考えられる。パスワードが誤っている場合としては、ユーザがパスワードの入力をミスした場合や、接続しようとしている無線ネットワークへの接続の設定を行う権限を有さない人が非正規のパスワードを入力した場合等が例示される。セキュリティの観点からは、接続の設定を行う権限を有さない人による無線ネットワークへの接続の設定が行われないようにするために、アクセス回数の制限を設けることが好ましい。そのため、本実施形態の画像形成装置１２では、上限値を予め定めておき、アクセス回数が上限値を超えた場合、無線ネットワークへの接続を少なくとも一時的に不可としている。
【００５８】
アクセス回数が上限値を超えていない（上限値≧アクセス回数）場合、否定判定となり、ステップＳ１２０に戻る。一方、アクセス回数が上限値を超えている（上限値＜アクセス回数）場合、肯定判定となりステップＳ１４０へ移行する。
【００５９】
ステップＳ１４０で制御部２０は、接続実績管理テーブル３１の無線ネットワーク１５のＳＳＩＤに対応する実績フラグを「１」にした後、ステップＳ１２０に戻る。
【００６０】
一方、ステップＳ１２２で肯定判定となった場合、ステップＳ１４２へ移行する。ステップＳ１４２で制御部２０は、接続に失敗した旨を表すための表示として、一例として図７に例示したエラー画面７０を表示部３６に表示させる制御を行った後、本無線通信設定処理を終了する。
【００６１】
図７に例示したエラー画面７０には、接続に失敗した旨を表すための情報７１と、当該情報７１を確認したユーザが指定するＯＫボタン７３が含まれる。
【００６２】
次に、上述したＳＳＩＤ登録処理について図８を参照して説明する。図８に示すように、ステップＳ２００で制御部２０は、画像形成装置１２の周辺環境の無線ネットワークを探索し、接続可能な無線ネットワークを検出する。なお、本ＳＳＩＤ登録処理において「接続可能」とは、適切なＳＳＩＤ及びパスワードを用いた場合に接続に成功することをいう。
【００６３】
次のステップＳ２０２で制御部２０は、接続可能な無線ネットワークのリストを、表示部３６に表示させる。ユーザは、当該表示の中から、接続を行いたい無線ネットワーク（図１では、無線ネットワーク１５、アクセスポイント１４）を操作部３４により選択する。そこで、次のステップＳ２０４で制御部２０は、ユーザにより無線ネットワークが選択されたか否かを判定する。まだ、無線ネットワークが選択されていない場合、否定判定となり待機状態になる。一方、無線ネットワークが選択された場合、肯定判定となりステップＳ２０６へ移行する。
【００６４】
ステップＳ２０６で制御部２０は、選択された無線ネットワーク（アクセスポイント）と接続するために必要なＳＳＩＤ及びパスワードをユーザに入力させるための設定入力画面（図示省略）を表示部３６に表示させる。当該設定入力画面に応じて、ユーザは、操作部３４によりＳＳＩＤ及びパスワードを入力する。
【００６５】
そこで、次のステップＳ２０８で制御部２０は、ユーザが入力したＳＳＩＤ及びパスワードを取得し、次のステップＳ２１０で取得したＳＳＩＤ及びパスワードを用いて無線ネットワークへの接続を試行する。
【００６６】
次のステップＳ２１２で制御部２０は、無線ネットワークへの接続が成功したか否かを判定する。接続が成功した場合、肯定判定となりステップＳ２１４へ移行する。ステップＳ２１４で制御部２０は、接続に用いたＳＳＩＤ及びパスワードを接続実績管理テーブル３１に登録し、次のステップＳ２１６で制御部２０は、対応するＳＳＩＤの実績フラグを「１」に更新した後、本ＳＳＩＤ登録処理を終了し、無線通信設定処理（図５参照）を終了する。
【００６７】
一方、接続に失敗した場合、ステップＳ２１２で否定判定となりステップＳ２１８へ移行する。ステップＳ２１８で制御部２０は、接続に失敗した旨を表すための表示として、図７に例示したエラー画面７０を表示部３６に表示させた後、本ＳＳＩＤ登録処理を終了し、無線通信設定処理（図５参照）を終了する。
【００６８】
本実施形態の画像形成装置１２では、このように無線通信設定処理を終了することにより、接続実績管理テーブル３１に登録されたＳＳＩＤに対応するパスワードが登録され、当該ＳＳＩＤ及びパスワードにより、無線ネットワークと通信が行えるようになる。
【００６９】
なお、本実施形態の画像形成装置１２の制御部２０は、上述した無線通信設定処理の終了後、所定のタイミングで、記憶部３０に記憶されている接続実績管理テーブル３１を確認し、対応するパスワードが登録されておらず、かつ対応付けられている実績フラグが「１」のＳＳＩＤが有る場合は、当該ＳＳＩＤに対応付けられている実績フラグを「０」にする。そして、対応付けられている実績フラグが「０」であるＳＳＩＤを対象として、再び無線通信設定処理（図５参照）を実行する。このように無線通信設定処理を繰り返すことにより、ユーザが初めて電源を投入した際に実行した無線通信設定処理において選択されず、無線ネットワークへの接続の設定が行われなかったＳＳＩＤ、及び無線ネットワークへの接続に失敗したＳＳＩＤを用いた無線ネットワークへの接続の設定が行える。
【００７０】
また、本実施形態の画像形成装置１２では、上述したように、接続実績管理テーブル３１に登録されているＳＳＩＤに、対応するパスワードが登録されており、かつ実績フラグが「１」である場合、当該ＳＳＩＤにより識別される無線ネットワーク（アクセスポイント）との接続に成功したことを示している。当該無線ネットワークへの接続が、上述した無線通信設定処理の終了後にできなくなった場合、パスワードの変更が行われたこと等が考えられる。そこで、制御部２０は、上述した無線通信設定処理の終了後に、接続に成功した無線ネットワークと接続ができなくなった場合、接続実績管理テーブル３１を参照し、当該無線ネットワークに対応付けられてパスワードが登録されており、かつ実績フラグが「１」である場合、パスワードの変更等が行われたことを表す情報を表示部３６に表示させる。
【００７１】
以上説明したように、本実施形態の画像形成装置１２は、無線通信のアクセスポイントを識別するＳＳＩＤと、アクセスポイントとの接続実績を示す実績フラグとを対応付けて記憶する記憶部３０と、記憶部３０に記憶された実績フラグが接続実績が無いことを示す「０」である場合、接続実績が無いアクセスポイントとの接続に用いるパスワードを入力させるためのパスワード入力画面６０を表示部３６に表示させる制御を行う制御部２０と、を備える。
【００７２】
当該構成を有することにより画像形成装置１２によれば、アクセスポイント１４を識別するＳＳＩＤと、アクセスポイント１４と接続に用いるパスワードと、の双方をユーザが設定する場合に比べて、無線ネットワークに接続するための設定を簡易化することができる。
【００７３】
画像形成装置１２の表示部３６の画面の大きさは、ユーザ端末装置１０の表示部１１等に比べて比較的小さく、表示された情報が見辛い場合があるため、複雑な設定は行い辛い。本実施形態の画像形成装置１２では、ユーザは、表示部３６に表示されたパスワード入力画面６０に対するパスワードの入力、及びエラー画面７０による接続失敗の確認のみを行えばよい。そのため、表示される情報やユーザが行う操作等が簡易化されるため、ユーザの負荷が軽減され、例えば、無線ネットワークへの接続の設定に不慣れなユーザであっても、容易に無線ネットワークへの接続の設定が行える。
【００７４】
また、本実施形態の画像形成装置１２では、ユーザ端末装置１０等の他の装置を要せず、画像形成装置１２のみで、無線ネットワーク（アクセスポイント）との接続の設定が行える。また、例えば、ユーザがユーザ端末装置１０において画像形成装置１２との接続を行うためのソフトウェアを実行させたり、アクセスポイント１４の操作を行ったりすることを要さない。そのため、本実施形態の画像形成装置１２によれば、他の装置を用いて無線ネットワークの接続の設定を行う場合に比べて、無線ネットワークに接続するための設定が簡易化される。
【００７５】
なお、本実施形態の無線通信設定処理（図５参照）では、接続実績管理テーブル３１に複数のＳＳＩＤが登録されている場合、ステップＳ１０２で制御部２０は、登録されているうちから選択した１つのＳＳＩＤについて無線ネットワークへの接続の設定を行ったが、その他のＳＳＩＤについて無線ネットワークへの接続の設定を行うようにしてもよい。例えば、接続実績管理テーブル３１に登録されたＳＳＩＤの中からユーザが選択したＳＳＩＤや、ユーザが選択した無線ネットワークについて無線ネットワークへの接続の設定を行うようにしてもよい。この場合、例えば、制御部２０は、無線通信設定処理のステップＳ１２４で、図９に一例を示す、接続する無線ネットワークの変更が可能なことを表す情報６４と接続する無線ネットワークを変更する場合にユーザが指定する変更ボタン６５とを含むパスワード入力画面６０を表示部３６に表示させる。制御部２０は、ユーザが変更ボタン６５を指定した場合、接続実績管理テーブル３１に登録されている他のＳＳＩＤに変更して、無線通信設定処理のステップＳ１０２以降の処理を行えばよい。
【００７６】
なお、本実施形態では、画像形成装置１２の販売業者が事前に画像形成装置１２にＳＳＩＤを登録する形態について説明したが、事前にＳＳＩＤを登録する方法は当該形態に限らない。例えば、ユーザの元に画像形成装置１２が届いてからユーザが画像形成装置１２を使用する前に、カスタマーエンジニア等、ユーザと異なる人物がＳＳＩＤを登録しておいてもよい。
【００７７】
また、ユーザが画像形成装置１２の使用を開始した後に、新たな無線ネットワークとの接続を行う場合、制御部２０は、例えば、上述のＳＳＩＤ登録処理（図８参照）と同様の処理を実行することにより、新たな無線ネットワークとの接続の設定を行うようにしてもよいし、ＡｃｔｉｖｅＸ等を実行することによりＳＳＩＤを取得してもよい。
【００７８】
また、本実施形態では、画像形成装置１２が本発明の無線通信装置の一例である場合について説明したが、本発明は、画像形成機能を有さない無線通信装置にも適用可能であることはいうまでもない。
【００７９】
また、本実施形態では、ＳＳＩＤが本発明の識別情報の一例である場合について説明したが、識別情報はＳＳＩＤに限定されず、アクセスポイント（無線ネットワーク）の識別が可能な情報であればよい。例えば、アクセスポイントのシリアルナンバー等であってもよい。
【００８０】
また、本実施形態では、パスワードが本発明の接続情報の一例である場合について説明したが、接続情報はパスワードに限定されず、識別情報以外のアクセスポイント（無線ネットワーク）との接続の設定に必要な情報であればよい。
【００８１】
なお、本実施形態は、本発明の一例であり、本発明の主旨を逸脱しない範囲内において状況に応じて変更可能であることはいうまでもない。
【符号の説明】
【００８２】
１  無線通信システム
１２  画像形成装置
１４  アクセスポイント
１５  無線ネットワーク
２０  制御部
２２  ＣＰＵ
２５  無線通信設定プログラム
３０  記憶部
３１  接続実績管理テーブル
３６  表示部
【図１】
2018006973.tif 000003
【図２Ａ】
2018006973.tif 000004
【図２Ｂ】
2018006973.tif 000005
【図２Ｃ】
2018006973.tif 000006
【図３】
2018006973.tif 000007
【図４】
2018006973.tif 000008
【図５】
2018006973.tif 000009
【図６】
2018006973.tif 000010
【図７】
2018006973.tif 000011
【図８】
2018006973.tif 000012
【図９】
2018006973.tif 000013